(57)【要約】【課題】外気の温度を迅速且つ正確に検知する。【解決手段】画像形成装置１は、筐体１０に形成されて筐体１０の内部に外気を導入するための外気導入口１７と、外気導入口１７に対向するように筐体１０の内部に設けられたファン２１と、筐体１０の内部に設けられ、外気の温度及び湿度、又は外気の温度を検知するためのセンサー２５と、ファン２１によって外気導入口１７から導入された外気をセンサー２５へ導くための風路３２とを備えている。【選択図】図１
2015052713.tif 000002
【特許請求の範囲】
【請求項１】
筐体と、
上記筐体に形成され、該筐体の内部に外気を導入するための外気導入口と、
上記外気導入口に対向するように上記筐体の内部に設けられたファンと、
上記筐体の内部に設けられ、外気の温度及び湿度、又は外気の温度を検知するためのセンサーと、
上記ファンによって上記外気導入口から導入された外気を上記センサーへ導くための風路とを備えている、画像形成装置。
【請求項２】
請求項１に記載の画像形成装置において、
上記筐体の内部に設けられた熱源と、
上記ファンによって上記外気導入口から導入された外気を上記熱源へ供給するダクトとを備えている、画像形成装置。
【請求項３】
請求項２に記載の画像形成装置において、
上記ダクトには開口部が形成され、
上記開口部は、上記風路に配置されている、画像形成装置
【発明の詳細な説明】
【技術分野】
【０００１】
本発明は、画像形成装置に関する。
【背景技術】
【０００２】
一般に、レーザープリンターや複合機等の画像形成装置は、シートを加熱及び加圧することによって、シート上のトナー像を当該シートに定着させる定着部を有している。
【０００３】
また、例えば特許文献１に記載されているように、画像形成装置は、定着部を制御するために外気の温度及び湿度を検知するための温湿度センサーを有している。温湿度センサーは、定着部と共に装置本体を構成する筐体の内部に配置されている。
【０００４】
特許文献１の画像形成装置は、筐体の底部に形成された通気孔と、筐体内に設けられた回路部品と、筐体内の空気を排気する排気ファンとを有している。回路部品は、通気孔と排気ファンとの間に配置されている。温湿度センサーは、通気孔の近傍に配置されている。そうして、通気孔から筐体内部に供給される外気によって回路部品を冷却すると共に、回路部品を冷却する前の外気の温湿度を温湿度センサーによって検知するようにしている。
【先行技術文献】
【特許文献】
【０００５】
【特許文献１】特開２０１１−６４７９７号公報
【発明の概要】
【発明が解決しようとする課題】
【０００６】
しかし、通常、画像形成装置の筐体には複数の孔や開口部が形成されているので、上記特許文献１の通気孔から外気を十分な流量で筐体内に導入することは難しい。したがって、特許文献１の画像形成装置では、上記温湿度センサーによって外気の温湿度を迅速且つ正確に検知しにくいという問題がある。
【０００７】
本発明は、かかる点に鑑みてなされたものであり、その目的とするところは、画像形成装置の筐体内に設けられセンサーによって、外気の温度を迅速且つ正確に検知しようとすることにある。
【課題を解決するための手段】
【０００８】
本発明に係る画像形成装置は、筐体と、上記筐体に形成され、該筐体の内部に外気を導入するための外気導入口と、上記外気導入口に対向するように上記筐体の内部に設けられたファンと、上記筐体の内部に設けられ、外気の温度及び湿度、又は外気の温度を検知するためのセンサーと、上記ファンによって上記外気導入口から導入された外気を上記センサーへ導くための風路とを備えている。
【発明の効果】
【０００９】
本発明によれば、画像形成装置の筐体内に設けられたセンサーによって、外気の温度を迅速且つ正確に検知することができる。
【図面の簡単な説明】
【００１０】
【図１】図１は、本実施形態における画像形成装置の概略構成を示す概念図である。
【図２】図２は、画像形成装置の基本構成を示すブロック図である。
【図３】図３は、ファン及びダクトを示す断面図である。
【図４】図４は、ファン及びダクトを破断して示す斜視図である。
【図５】図５は、ダクトを破断して示す斜視図である。
【発明を実施するための形態】
【００１１】
以下、本発明の実施形態を図面に基づいて詳細に説明する。尚、本発明は、以下の実施形態に限定されるものではない。
【００１２】
図１は、本実施形態における画像形成装置１の概略構成を示している。図２は、画像形成装置１の基本構成を示している。
【００１３】
画像形成装置１は、図２に示すように、画像形成される用紙を収容する給紙カセット１１と、給紙カセット１１から供給された用紙に現像剤の像であるトナー像を形成するトナー像形成部１２と、トナー像形成部１２にレーザー光を照射する光走査部１３と、トナー像を用紙に定着させる定着部１４と、トナー像が定着された用紙が排出される排紙トレイ１５とを有している。
【００１４】
画像形成装置１は、図１に示すように筐体１０を備えている。筐体１０には、上記トナー像形成部１２、光走査部１３、定着部１４及び用紙搬送路（不図示）が収容されている。尚、図１では、トナー像形成部１２、光走査部１３、及び用紙搬送路の図示を省略している。
【００１５】
光走査部１３は、図示を省略するが、例えば、光源としてのレーザーダイオードと、ポリゴンモーターとを有している。光走査部１３は、画像形成装置１が受信した画像データに基づいてレーザー光をトナー像形成部１２へ照射する。
【００１６】
トナー像形成部１２は、図示を省略するが、例えば、感光体ドラムと、感光体ドラムを帯電させる帯電器と、光走査部１３からレーザー光が照射されることによって感光体ドラムに形成された静電潜像を現像する現像部と、現像部によって現像されたトナー像を用紙に転写する転写部とを有している。
【００１７】
定着部１４は、図示を省略するが、互いに圧接されて回転する定着ローラー及び加圧ローラーを有している。トナー像形成部１２から搬送された用紙を定着ローラー及び加圧ローラーにより加熱及び加圧することによって、その用紙にトナー像を定着させる。こうして、画像が用紙に形成される。
【００１８】
筐体１０には、図１に示すように、筐体１０の内部に外気を導入するための外気導入口１７が形成されている。外気導入口１７は、複数のスリットが形成されたカバー１８によって覆われている。また、筐体１０には、筐体１０の内部の空気を外部へ排出するための複数の排気口１９が形成されている。
【００１９】
筐体１０の内部には、例えば光走査部１３や回路部品（不図示）等の熱源２０と、熱源２０を冷却するファン２１とが設けられている。ファン２１は、例えば軸流ファンによって構成され、外気導入口１７に対向するように配置されている。
【００２０】
さらに、筐体１０の内部には、定着部１４を制御する制御部２３と、定着部１４における上記定着ローラーの表面温度を検知する温度センサー２４と、外気の温度及び湿度を検知するための温湿度センサー２５とが設けられている。
【００２１】
温湿度センサー２５は、例えばサーミスター等の温度センサーと、湿度センサーとを備えている。制御部２３には、温度センサー２４及び温湿度センサー２５の検知結果が入力される。例えば、制御部２３は、その検知結果に基づいて、外気の温度及び湿度に応じた定着ローラーの目標温度を設定するフィードバック制御を行う。
【００２２】
ここで、図３及び図４はファン２１及びダクト２７を示している。図５はダクト２７を示している。図３〜図５に示すように、画像形成装置１は、ファン２１によって外気導入口１７から導入された外気を熱源２０へ供給するダクト２７を備えている。
【００２３】
画像形成装置１は、外気導入口１７から熱源２０に至る第１風路３１を有している。ダクト２７には、外気導入口１７から導入された外気を熱源２０へ向かって流出させる第１開口部２８が形成されている。第１開口部２８は、第１風路３１に配置されている。
【００２４】
さらに、画像形成装置１は、ファン２１によって外気導入口１７から導入された外気を温湿度センサー２５へ導くための第２風路３２を有している。ここで、筐体１０の内部には、板状のフレーム３４が設けられている。フレーム３４には、ファン２１の下方において支持部材３５が装着されている。温湿度センサー２５は、支持部材３５に支持されている。
【００２５】
ダクト２７は、第１開口部２８の下側に形成された第２開口部２９を有している。第２開口部２９は、フレーム３４に対向している。そうして、ダクト２７の第２開口部２９から流出した外気が、フレーム３４に沿って下方へ流れて温湿度センサー２５へ供給されるようになっている。すなわち、第２開口部２９は、第２風路３２に配置されている。
【００２６】
このように、上記画像形成装置１では、ファン２１が作動することによって外気が外気導入口１７から筐体１０の内部へ導入される。筐体１０の内部に導入された外気は、その一部が第１風路３１を通って熱源２０へ供給されると共に、他の一部が第２風路３２を通って温湿度センサー２５へ供給される。
【００２７】
すなわち、ダクト２７の第１開口部２８から流出した外気は、筐体１０の内部を流れて熱源２０へ供給されることにより、熱源２０を冷却する。一方、ダクト２７の第２開口部２９から流出した外気は、フレーム３４に沿って下方へ流れて温湿度センサー２５へ供給されることにより、温湿度センサー２５によってその温度及び湿度が検出される。
【００２８】
したがって、本実施形態によると、ファン２１によって外気導入口１７から導入された外気を温湿度センサー２５へ導くための第２風路３２を第１風路３１とは別系統で設けるようにしたので、外気を十分な流量で且つ直接に温湿度センサー２５へ供給することができる。
【００２９】
よって、本実施形態によると、画像形成装置１の筐体１０内に設けられた温湿度センサー２５によって、外気の温湿度を迅速且つ正確に検知することができる。
【００３０】
そうして、筐体１０の外部において外気の温度及び湿度が変化しても、その変化を迅速に検知できるので、定着部１４における定着ローラーの表面温度を制御部２３によって適切に制御できることとなる。
【００３１】
また、ファン２１によって筐体１０内に導入した外気の一部を直接に温湿度センサー２５へ供給する構成であるので、筐体１０内の温度状態及び湿度状態の影響を受けずに外気の温度及び湿度を精度良く検知することが可能になる。
【００３２】
尚、上記実施形態では、外気の温度及び湿度を検知するための温湿度センサー２５を筐体１０の内部に設けた例について説明したが、これに限らず、外気の温度及び湿度、又は外気の温度を検知するためのセンサーを筐体１０の内部に設けるようにしてもよい。そのことにより、外気の温度を精度良く検知できる。
【００３３】
また、上記実施形態では、複合機を画像形成装置の一例として説明したが、これに限らず、例えばプリンター、スキャナー装置、又は複写機等の他の画像形成装置としてもよい。
【産業上の利用可能性】
【００３４】
以上説明したように、本発明は、画像形成装置について有用である。
【符号の説明】
【００３５】
１      画像形成装置
１０    筐体
１３    光走査部
１４    定着部
１７    外気導入口
２０    熱源
２１    ファン
２５    温湿度センサー
２７    ダクト
２９    第２開口部
３２    第２風路
【図１】
2015052713.tif 000003
【図２】
2015052713.tif 000004
【図３】
2015052713.tif 000005
【図４】
2015052713.tif 000006
【図５】
2015052713.tif 000007